(57)【要約】【課題】外乱磁界による書き込み誤動作を防止する磁気ディスク用退避装置を得る。【解決手段】磁気ディスクと、磁気ディスクに対して記録再生動作する磁気ヘッドと、磁気ヘッドをディスク半径方向に往復移動させる駆動機構と、磁気ヘッドにかかる外乱磁界強度を検知する地磁気センサと、この地磁気センサが検知した外乱磁界強度が所定の閾値を超えたときに、磁気ヘッドの記録動作を停止させ、駆動機構を介して磁気ヘッドを磁気ディスクから退避させる制御手段とを備えた。【選択図】図１
2010257534.tif 000002
【特許請求の範囲】
【請求項１】
回転駆動可能に支持された磁気ディスクと、
この磁気ディスクに対して記録再生動作する磁気ヘッドと、
この磁気ヘッドを前記磁気ディスクの半径方向に往復移動させる駆動機構と、
前記磁気ヘッドにかかる外乱磁界強度を検知する地磁気センサと、
この地磁気センサが検知した外乱磁界強度が所定の閾値を超えたときに、前記磁気ヘッドの記録動作を停止させ、前記駆動機構を介して前記磁気ヘッドを前記磁気ディスクから退避させる制御手段と、
を備えたことを特徴とする磁気ディスク用退避装置。
【請求項２】
請求項１記載の磁気ディスク用退避装置において、前記磁気ヘッドは、磁気ディスク面に対して垂直な記録磁界を与える垂直磁気記録ヘッドであって、前記地磁気センサは、前記磁気ディスク面と垂直方向において前記磁気ヘッドと重なる位置に配置されている磁気ディスク用退避装置。
【請求項３】
請求項１または２記載の磁気ディスク用退避装置において、前記地磁気センサは、前記磁気ヘッドが前記磁気ディスク面を往復移動する軌跡上に配置されている磁気ディスク用退避装置。
【請求項４】
請求項１ないし３のいずれか一項に記載の磁気ディスク用退避装置において、前記地磁気センサは、前記磁気ディスクを回転可能に支持する基材の背面に固定されている磁気ディスク用退避装置。
【請求項５】
請求項１ないし３のいずれか一項に記載の磁気ディスク用退避装置において、前記地磁気センサは、前記磁気ディスク面に対して垂直方向、水平方向、左右方向の外乱磁界強度をそれぞれ検知する３軸地磁気センサである磁気ディスク用退避装置。
【請求項６】
請求項５記載の磁気ディスク用退避装置において、前記制御手段は、前記磁気ヘッドの位置情報から該磁気ヘッドにかかる外乱磁界の方向を算出し、算出した方向の外乱磁界強度を前記地磁気センサから入力する磁気ディスク用退避装置。
【発明の詳細な説明】
【技術分野】
【０００１】
本発明は、外乱磁界監視機能を備えた磁気ディスク用退避装置に関する。
【背景技術】
【０００２】
コンピュータや各種情報機器に用いられる磁気ディスク装置は、外部から磁界（外乱磁界）を受けると、記録ヘッドに浮遊磁束が集中し、記録ヘッドの磁極先端から磁気ディスク面に漏れた磁束によって磁気ディスクに誤書き込みしてしまうという課題がある。特に、記録磁界と同じ方向の外乱磁界を受けた場合は、記録ヘッドの磁極に残留磁化が生じて、誤書き込みしやすい。近年では、今後の更なる高記録密度化に対応できるとして垂直記録方式の磁気ディスク装置が注目されているが、この外乱磁界による誤書き込みは、長手記録方式（面内記録方式）よりも記録密度が高い垂直記録方式でより顕著に現れてしまう。
【０００３】
上記外乱磁界による誤書き込みを回避する方法として、例えば特許文献１に、再生ヘッドの外部磁歪によって記録ヘッドにかかる外部磁場を検知する外磁場検知手段と、この外部磁場による障害を回避する外磁場障害回避手段とを備えることが記載されている。
【先行技術文献】
【特許文献】
【０００４】
【特許文献１】特開２００４−３２６８６５号公報
【発明の概要】
【発明が解決しようとする課題】
【０００５】
しかし、特許文献１の構成では、記録ヘッドの書き込み動作時に、記録磁界によって再生ヘッドの磁化が飽和してしまい、磁気ヘッドにかかる外部磁場を正確に検知することができない。
【０００６】
従来では、磁気シールド形状を工夫して磁気ディスクを外乱磁界から保護したり、外乱磁界への感度を鈍らせるために磁気ディスクや磁気ヘッドの書き込み能力を落としたりするなど、制約上があった。
【０００７】
本発明は、外乱磁界による書き込み誤動作を防止し、磁気ディスク及び磁気ヘッドの書き込み能力を向上させる磁気ディスク用退避装置を得ることを目的とする。
【課題を解決するための手段】
【０００８】
本発明は、地磁気センサを用いれば外乱磁界を検知可能で、磁気ディスク装置内に組み込みやすいことに着目して完成されたものである。
【０００９】
すなわち、本発明は、回転駆動可能に支持された磁気ディスクと、この磁気ディスクに対して記録再生動作する磁気ヘッドと、この磁気ヘッドを前記磁気ディスクの半径方向に往復移動させる駆動機構と、前記磁気ヘッドにかかる外乱磁界強度を検知する地磁気センサと、この地磁気センサが検知した外乱磁界強度が所定の閾値を超えたときに、前記磁気ヘッドの記録動作を停止させ、前記駆動機構を介して前記磁気ヘッドを前記磁気ディスクから退避させる制御手段と、を備えたことを特徴としている。
【００１０】
前記磁気ヘッドは、磁気ディスク面に対して垂直な記録磁界を与える垂直磁気記録ヘッドであって、前記地磁気センサは、前記磁気ディスク面と垂直方向において前記磁気ヘッドと重なる位置に配置されていることが好ましい。より具体的には、前記地磁気センサは、前記磁気ヘッドが前記磁気ディスク面を往復移動する軌跡上に配置されていることが好ましく、前記磁気ディスクを回転可能に支持する基材の背面に固定されていることが実際的である。
【００１１】
前記地磁気センサは、前記磁気ディスク面に対して垂直方向、水平方向、左右方向の外乱磁界強度をそれぞれ検知する３軸地磁気センサを用いることが好ましい。
【００１２】
前記制御手段は、前記磁気ヘッドの位置情報から該磁気ヘッドにかかる外乱磁界の方向を算出し、算出した方向の外乱磁界強度を前記地磁気センサから入力することが好ましい。
【発明の効果】
【００１３】
本発明によれば、地磁気センサにより外乱磁界強度が検知され、所定の閾値を超える強度の外乱磁界が磁気ヘッドにかかったときは、記録動作が停止されて磁気ディスク面から磁気ヘッドが退避されるので、外乱磁界による誤書き込みを防ぐことができ、磁気ディスク及び磁気ヘッドの書き込み能力を高められる磁気ディスク用退避装置が得られる。
【図面の簡単な説明】
【００１４】
【図１】本発明による退避装置を搭載した磁気ディスク装置の主要構成を示す（Ａ）平面図、（Ｂ）側面図である。
【図２】同磁気ディスク用退避装置の外乱磁界監視動作を示すフローチャートである。
【発明を実施するための形態】
【００１５】
図１（Ａ）は、本発明による磁気ディスク用退避装置を搭載した磁気ディスク装置１０の主要構成を示す模式平面図である。磁気ディスク装置１０は、基板１１上に、回転軸１２を中心に回転駆動される磁気記録媒体としての磁気ディスク１３と、この磁気ディスク１３に対して記録再生動作する磁気ヘッド１４と、この磁気ヘッド１４を先端自由端に固定したスイングアーム（ロードビーム、ジンバルばね）１５と、このスイングアーム１５の基端部を磁気ディスク１３の外側からディスク半径方向に往復揺動させるボイスコイルモータ１６とを備えている。図１（Ａ）の破線Ｌは、磁気ヘッド１４の移動する軌跡を示している。磁気ヘッド１４は、磁気ディスク１３のディスク面に対して垂直方向に記録磁界を与える垂直磁気記録方式の磁気ヘッドである。この磁気ヘッド１４は、スイングアーム１５の表面に固定されたフレキシブル配線基板（不図示）を介して装置外部の記録再生回路２１と電気的に接続し、記録再生回路２１との間で記録（再生）情報信号を授受する。制御回路２０は、記録再生回路２１を介して磁気ヘッド１４の記録再生動作を制御し、ボイルコイルモータ１６を介してスイングアーム１５（磁気ヘッド１４）をロード／アンロードし、さらに記録再生動作中は磁気ヘッド１４を正しいトラック位置に制御する。
【００１６】
上記磁気ディスク装置１０には、磁気ディスク１３を支持した側とは反対側に位置する基板１１の背面に、磁気ヘッド１４の往復移動する軌跡Ｌ上で磁気ディスク面と垂直な方向（図示Ｚ方向）で磁気ヘッド１４と重なるように位置させて、地磁気センサ３０が設けられている。図１（Ｂ）は、磁気ヘッド１４及びスイングアーム１５を省略して示す磁気ディスク装置１０の側面図であって、地磁気センサ３０の配設位置を示している。地磁気センサ３０は、Ｘ軸、Ｙ軸、Ｚ軸にそれぞれ一対の磁気センサを設けた３軸地磁気センサであって、磁気ヘッド１４にかかる外乱磁界を検出する。磁気センサには磁気抵抗素子（例えばＧＭＲ素子）、ホール素子を用いる。上述したように地磁気センサ３０は磁気ディスク面と垂直な方向で磁気ヘッド１４と重なるので、磁気ヘッド１４の記録動作への影響が大きい、磁気ヘッド１４の記録磁界と同じ方向（図示Ｚ方向）の外乱磁界を高感度に検出できる。この地磁気センサ３０は、制御回路２０と電気的に接続されている。
【００１７】
図２は、制御回路２０による外乱磁界監視動作を示すフローチャートである。この動作は、制御回路２０がボイスコイルモータ１６を介してスイングアーム１５を磁気ディスク１３上へ移動させ、磁気ヘッド１４を磁気ディスク面に載せた状態（ロード）から開始する。制御回路２０は、まず、磁気ヘッド１４の位置情報（半径Ｒ、スキュー角θ）を取得し（Ｓ１）、この位置情報に基づいて磁気ヘッド１４の記録磁界の方向と一致する外乱磁界の方向を算出して（Ｓ２）、地磁気センサ３０から入力したＸ軸、Ｙ軸、Ｚ軸方向の外乱磁界強度のうち、算出した方向の外乱磁界強度が所定の閾値を超えたか否かを監視する（Ｓ３）。そして、外乱磁界強度が所定の閾値を超えた場合は（Ｓ３；Ｙ）、記録再生回路２１を介して磁気ヘッド１４の記録再生動作を停止させ（Ｓ４）、ボイルコイルモータ１６を介して磁気ヘッド１４を磁気ディスク１３から退避させて（Ｓ５）、動作開始状態へ戻る。一方、外乱磁界強度が所定の閾値を超えていない場合は（Ｓ３；Ｎ）、磁気ヘッド１４の位置情報を再度取得して該磁気ヘッド１４の位置が変更したか否かを判定し（Ｓ６）、変更していた場合はＳ１へ戻る。磁気ヘッド１４の位置が変更していなければ（Ｓ６；Ｙ）、磁気ヘッド１４を磁気ディスク１３から退避させるか否かを判定し（Ｓ７）、退避させる場合はそのまま動作終了する（Ｓ７；Ｙ）。退避させない場合は、次の動作へ移行する（Ｓ７；Ｎ）。
【００１８】
以上のように本実施形態では、地磁気センサ３０により外乱磁界強度を検出し、磁気ヘッド１４の記録磁界方向と一致する方向の外乱磁界強度が所定の閾値を超えると制御回路２０が磁気ヘッド１４の記録再生動作を停止させ、磁気ヘッド１４を磁気ディスク１３から退避させるので、外乱磁界による磁気ヘッド１４の書き込み誤動作を防止できる。磁気ヘッド１４の記録磁界方向と一致しない方向の外乱磁界は書き込み誤動作を生じさせるおそれがないので、該一致しない方向の外乱磁界がかかっていても磁気ヘッド１４の書き込み動作を安全に継続させることができる。このように書き込み誤動作を防止できれば、磁気ディスク１３及び磁気ヘッド１４の書き込み能力を高めても外乱磁界の影響を受けずに済み、高記録密度化を達成できる。また、地磁気センサ３０は、その平面的な大きさが縦２．５ｍｍ×横２．５ｍｍ程度と小型であるから、磁気ディスク装置１０内に組み込みやすい。
【００１９】
以上では、垂直磁気記録方式の磁気ヘッド向けの磁気ディスク用退避装置に本発明を適用した実施形態について説明したが、本発明は、磁気ディスクのディスク面と平行な方向に記録磁界を与える長手磁気記録方式の磁気ヘッド向けの磁気ディスク用退避装置にももちろん適用可能である。
【符号の説明】
【００２０】
１０  磁気ディスク装置
１１  基板
１２  回転軸
１３  磁気ディスク
１４  磁気ヘッド
１５  スイングアーム
１６  ボイスコイルモータ
２０  制御回路
２１  記録再生回路
３０  地磁気センサ
【図１】
2010257534.tif 000003
【図２】
2010257534.tif 000004